(57)【特許請求の範囲】
【請求項１】
（ａ）多数の単位セルが積層されて電気的に連結されている構造の各電池モジュールが互いに接しながら配列されている構造の一つ以上のモジュールアセンブリー；
（ｂ）前記モジュールアセンブリーの最外側の各電池モジュールの側面を覆う構造からなる一対の側面支持部材；
（ｃ）前記モジュールアセンブリーと各側面支持部材とを結合する二つ以上の結合部材；
（ｄ）一面には前記側面支持部材と結合される締結部が形成されており、他面には外部構造に装着される外部装着部が形成されているベースプレート；及び
（ｅ）前記モジュールアセンブリーを覆いながらベースプレートと結合される外装カバー；
を含んでいる構造の電池パックであって、
前記各側面支持部材の各エッジ及び各電池モジュールの各エッジにはそれぞれ各結合口が形成されており、前記各結合口は結合部材によって機械的に締結され、
前記各側面支持部材は三角形状に形成されており、前記三角形状側面支持部材の各エッジにそれぞれ結合口が形成されており、
前記各側面支持部材は、板状型構造からなっており、一つ以上の開口を備えている、電池パック。
【請求項２】
前記単位セルは、一つの板状型電池セル構造であるか、または各電極端子が露出した状態で二つ以上の板状型電池セルがセルカバーに装着されている電池セルアセンブリー構造であることを特徴とする、請求項１に記載の電池パック。
【請求項３】
前記板状型電池セルは、金属層及び樹脂層を含むラミネートシートのケースに電極組立体を内蔵した後、外周面をシーリングした構造からなることを特徴とする、請求項２に記載の電池パック。
【請求項４】
前記板状型電池セルはリチウム二次電池であることを特徴とする、請求項２に記載の電池パック。
【請求項５】
前記電池モジュールは、二つ以上の単位セルがそれぞれカートリッジに装着されて単位セル積層構造を形成し、前記単位セル積層構造の最外側の各電池セルに装着されて電池セル積層構造を固定する上部及び下部プレートを含む構造からなっていることを特徴とする、請求項１に記載の電池パック。
【請求項６】
前記各側面支持部材のうち少なくとも一つは、２個のエッジがベースプレートに隣接した直角三角形状に形成されていることを特徴とする、請求項１に記載の電池パック。
【請求項７】
前記側面支持部材の一側端部は、前記ベースプレートと接するように折り曲げられており、前記折り曲げられた一側端部には、前記ベースプレートと結合される二つ以上の締結溝が穿孔されていることを特徴とする、請求項１に記載の電池パック。
【請求項８】
前記側面支持部材の一側端部と前記ベースプレートは、ボルトまたはリベットによって締結されることを特徴とする、請求項７に記載の電池パック。
【請求項９】
前記結合部材は長ボルトであることを特徴とする、請求項１に記載の電池パック。
【請求項１０】
前記ベースプレート及び／または外装カバーには凹凸構造の補強ビードが形成されていることを特徴とする、請求項１に記載の電池パック。
【請求項１１】
前記ベースプレートには、外部と連通する通風口が形成されていることを特徴とする、請求項１に記載の電池パック。
【請求項１２】
前記ベースプレートには、二つ以上のモジュールアセンブリーがそれぞれ側面支持部材によって固定された状態で結合されていることを特徴とする、請求項１に記載の電池パック。
【請求項１３】
前記ベースプレートは、地面から２０度〜１６０度だけ傾斜している外部構造に結合されていることを特徴とする、請求項１に記載の電池パック。
【請求項１４】
前記ベースプレートは、地面から６０度〜１２０度だけ傾斜している外部構造に結合されていることを特徴とする、請求項１３に記載の電池パック。
【請求項１５】
前記外装カバーの一側または両側には運搬用取っ手が形成されていることを特徴とする、請求項１に記載の電池パック。
【請求項１６】
前記外部装着部は、下向きに折り曲げられた突出構造で形成されていることを特徴とする、請求項１に記載の電池パック。
【請求項１７】
前記電池パックは、二つ以上の電池モジュールが互いに接しながら配列されている第１のモジュールアセンブリーと、二つ以上の電池モジュールが互いに接しながら配列されている第２のモジュールアセンブリーと、を含んでおり、前記第１のモジュールアセンブリーと第２のモジュールアセンブリーは、前記第１のモジュールアセンブリー及び前記第２のモジュールアセンブリーの側面が同じ側面方向を向くように配列されていることを特徴とする、請求項１に記載の電池パック。
【請求項１８】
前記第１のモジュールアセンブリーの電池モジュールの数は、第２のモジュールアセンブリーの電池モジュールの数より大きいことを特徴とする、請求項１７に記載の電池パック。
【請求項１９】
前記第１のモジュールアセンブリー及び第２のモジュールアセンブリーは、ベースプレートの対向方向にブラケットによって互いに固定されていることを特徴とする、請求項１７に記載の電池パック。
【請求項２０】
前記第１のモジュールアセンブリー及び第２のモジュールアセンブリーの各側面支持部材は、それぞれ２個のエッジがベースプレートに隣接した直角三角形状に形成されており、第１のモジュールアセンブリーのベースプレートの直角三角形の一辺と第２のモジュールアセンブリーのベースプレートの直角三角形の一辺とが互いに対面するように配列されていることを特徴とする、請求項１７に記載の電池パック。
【請求項２１】
前記第１のモジュールアセンブリー及び第２のモジュールアセンブリーは、地面に対する垂直方向に上下に位置するように配列されていることを特徴とする、請求項１７に記載の電池パック。
【請求項２２】
請求項１から請求項２１の何れか一項に記載の電池パックを含むことを特徴とするデバイス。
【請求項２３】
前記デバイスは、家庭用電源装置、公共施設電源装置、大型商店用電源装置、非常用電源装置、電算室電源装置、携帯用電源装置、医療設備電源装置、消化設備電源装置、警報設備電源装置、避難設備電源装置、電気自動車、ハイブリッド電気自動車、またはプラグ―インハイブリッド電気自動車であることを特徴とする、請求項２２に記載のデバイス。
【発明の詳細な説明】
【技術分野】
【０００１】
本発明は、外部装着構造を含む電池パックに関し、より詳細には、多数の単位セルが積層されて電気的に連結されている構造の各電池モジュールが互いに接しながら配列されている構造の一つ以上のモジュールアセンブリー、前記モジュールアセンブリーの最外側の各電池モジュールの側面を覆う構造からなる一対の側面支持部材、前記モジュールアセンブリーと各側面支持部材とを結合する二つ以上の結合部材、一面には前記側面支持部材と結合される締結部が形成されており、他面には外部構造に装着される外部装着部が形成されているベースプレート、及び前記モジュールアセンブリーを覆いながらベースプレートと結合される外装カバーを含んでいる構造の電池パックに関する。
【背景技術】
【０００２】
充放電が可能な二次電池は、ワイヤレスモバイル機器のエネルギー源として広範囲に使用されており、化石燃料を使用する既存のガソリン車両、ディーゼル車両などの大気汚染などを解決するための方案として提示されている電気自動車（ＥＶ）、ハイブリッド電気自動車（ＨＥＶ）、プラグ―インハイブリッド電気自動車（Ｐｌｕｇ―Ｉｎ  ＨＥＶ）などの動力源としても注目されている。
【０００３】
また、電気を貯蔵してから必要な時に安定的に電力系統に再び供給する電力貯蔵装置に関する技術が開発されている。電力貯蔵装置は、電力需要が少ないときにエネルギーを貯蔵し、過負荷または非常時に電力を供給する装置であって、電力品質及びエネルギー使用効率を向上させる効果を提供している。特に、家庭用電力貯蔵装置及び産業用または商業用中型電力貯蔵装置は、スマートグリッド技術と結び付けられ、その市場規模は急成長している。
【０００４】
一方、電池パックが所定の装置及びデバイスで要求される出力及び容量を提供するためには、多数の電池セルまたは多数の電池セルを含む各電池モジュールを直列または並列方式で電気的に連結して電池パックを構成しなければならず、電池パックの容量が大きくなるほど、拡張性が容易で且つ安定的な構造を維持しなければならない。
【０００５】
特に、多数の電池セルを使用して電池パックを構成する場合、バスバーまたは電源連結ケーブルのように、これらの機械的締結及び電気的接続のために一般的に多くの部材が必要であるので、これら各部材を組み立てる過程は非常に複雑であり、電池モジュールを拡張しなければならない場合、構造の変更が容易でないだけでなく、多くの部品の追加が必要であるため製造費用が上昇する。
【０００６】
また、電池パックは、多数の部品を使用して組み立てられながらも、繰り返される充放電による膨張及び収縮、誤作動による劣化、短絡及び爆発などの問題に対処するために、構造的な安全性をさらに必要とする。
【０００７】
したがって、このような問題を根本的に解決できる技術に対する必要性が高い実情にある。
【発明の概要】
【発明が解決しようとする課題】
【０００８】
本発明は、前記のような従来技術の問題と過去から要請されてきた技術的課題を解決することを目的とする。
【０００９】
本発明の目的は、組み立てが容易であり、簡単な過程で拡張が可能であり、全体的にコンパクトで且つ構造的安定性に優れた電池パックを提供することにある。
【００１０】
本発明の他の目的は、外部構造またはデバイスに容易に着脱可能な構造、及び移動性を向上させる構造の電池パックを提供することにある。
【課題を解決するための手段】
【００１１】
このような目的を達成するための本発明に係る電池パックは、
（ａ）多数の単位セルが積層されて電気的に連結されている構造の各電池モジュールが互いに接しながら配列されている構造の一つ以上のモジュールアセンブリー；
（ｂ）前記モジュールアセンブリーの最外側の各電池モジュールの側面を覆う構造からなる一対の側面支持部材；
（ｃ）前記モジュールアセンブリーと各側面支持部材とを結合する二つ以上の結合部材；
（ｄ）一面には前記側面支持部材と結合される締結部が形成されており、他面には外部構造に装着される外部装着部が形成されているベースプレート；及び
（ｅ）前記モジュールアセンブリーを覆いながらベースプレートと結合される外装カバー；
を含んでいる構造で形成されている。
【００１２】
すなわち、本発明の電池パックは、多数の電池モジュールが結合されたモジュールアセンブリーを所定の結合部材によって各側面支持部材と結合してベースプレートに装着した構造からなっているので、電池パック内に各電池モジュールを安定的に装着することができ、組み立てが容易であり、簡単な過程で電池モジュールの追加が可能であり、故に優れた拡張性を提供する。
【００１３】
また、本発明の電池パックは、外部装着部を含むことによって、外部構造に容易に装着可能な構造を提供する。
【００１４】
一つの具体的な例において、前記単位セルは、板状型電池セル構造であるか、または各電極端子が露出した状態で二つ以上の板状型電池セルがセルカバーに装着されている電池セルアセンブリーの構造であってもよい。
【００１５】
前記板状型電池セルは、例えば、樹脂層及び金属層を含むラミネートシートの電池ケースに電極組立体が内蔵されている構造のパウチ型電池セルであってもよい。
【００１６】
具体的に、前記電池セルは、陽極／分離膜／陰極構造の電極組立体が電解液と共に電池ケースの内部に密封されているパウチ型電池セルであって、全体的に幅に比べて厚さが薄い略直方体構造である板状型からなっている。このようなパウチ型電池セルは、一般的にパウチ型の電池ケースからなっており、前記電池ケースは、耐久性に優れた高分子樹脂からなる外部被覆層；水分、空気などに対して遮断性を発揮する金属素材からなる遮断層；及び熱融着され得る高分子樹脂からなる内部シーラント層が順次積層されているラミネートシート構造で構成されている。
【００１７】
前記パウチ型電池セルにおいて、ケースは多様な構造からなってもよく、例えば、２単位の部材の上部及び／または下部の内面に形成されている収納部に電極組立体を収納した後、ケース外周面の上下部の接触部位を熱融着して密封する構造などを挙げてもよい。前記のような構造のパウチ型電池セルは、本出願人のＰＣＴ国際出願第ＰＣＴ／ＫＲ２００４／００３３１２号に開示されており、前記出願は、参照として本発明の内容に組み込まれる。しかし、電池ケースが、１単位の部材の上部及び／または下部の内面に形成されている収納部に電極組立体を収納した後、ケース外周面の上下部の接触部位を熱融着して密封する構造であってもよいことは当然である。
【００１８】
前記電池セルは、電池モジュールまたは電池パックの構成時に高電圧及び高電流を提供できる電池であれば特別に制限されず、例えば、体積当たりエネルギー貯蔵量の大きいリチウム二次電池であってもよい。
【００１９】
一つの具体的な例において、前記電池モジュールは、二つ以上の単位セルがそれぞれカートリッジに装着されて単位セル積層構造を形成し、前記単位セル積層構造の最外側の各電池セルに装着されて電池セル積層構造を固定する上部及び下部プレートを含む構造からなってもよい。例えば、前記単位セル積層構造を形成する各カートリッジにそれぞれ各締結口が形成されており、前記各締結口を貫通しながら上部及び下部プレートに固定される締結部材を用いて前記単位セル積層構造が前記上部及び下部プレートの間に固定される構造からなってもよい。
【００２０】
一方、前記各側面支持部材とモジュールアセンブリーとの結合は、特別に限定されず、多様な構造で形成されてもよく、一つの例として、前記各側面支持部材の各エッジ及び各電池モジュールの各エッジにはそれぞれ各結合口が形成されており、前記各結合口は、結合部材によって機械的に締結される構造で形成されてもよい。
【００２１】
具体的に、前記各側面支持部材は三角形状に形成されており、前記三角形状の各エッジにそれぞれ結合口が形成されてもよく、これら各側面支持部材のうち少なくとも一つは、２個のエッジがベースプレートに隣接した直角三角形状に形成されてもよい。
【００２２】
また、前記側面支持部材は板状型構造からなってもよく、前記側面支持部材の板状型構造上には、剛性を向上させ、モジュールアセンブリーの熱を放出する一つ以上の開口が形成されてもよい。
【００２３】
前記側面支持部材は、ベースプレートと結合されてもよく、具体的に、前記側面支持部材の一側端部は前記ベースプレートと接するように折り曲げられており、前記折り曲げられた一側端部には前記ベースプレートと結合される二つ以上の締結溝が穿孔されているので、前記ベースプレートの締結部と締結溝が結合される構造であってもよい。このとき、前記側面支持部材の一側端部と前記ベースプレートは、例えば、ボルトまたはリベットによって締結されてもよい。
【００２４】
前記モジュールアセンブリーと側面支持部材とを結合する結合部材の構造は、特別に限定されず、例えば、長ボルトまたは伸縮可能なボルトであってもよい。前記結合部材は、前記モジュールアセンブリーの最外側の各電池モジュールと前記側面支持部材とを結合する構造であるか、または前記各電池モジュールに形成された各結合口を通過しながら各側面支持部材と結合される構造であってもよい。
【００２５】
前記ベースプレート及び／または外装カバーには、剛性を向上できるように、外部表面に凹凸構造の補強ビードが形成されてもよい。
【００２６】
また、前記ベースプレートには、各電池モジュールで発生した熱を放出するように外部と連通する通風口が形成されてもよい。
【００２７】
前記ベースプレートには、一つのモジュールアセンブリーが側面支持部材によって固定された状態で結合されてもよいが、場合によっては、二つ以上のモジュールアセンブリーがそれぞれ側面支持部材によって固定された状態で結合されてもよい。
【００２８】
前記ベースプレートの外部装着部は外部構造と結合されてもよく、前記外部構造は、例えば、地面から２０度〜１６０度だけ傾斜している構造であってもよい。具体的に、前記ベースプレートは、地面から６０度〜１２０度だけ傾斜している外部構造に結合されてもよく、このような外部構造の例として、所定の装置、設備の一側、または構造物の壁などを挙げてもよい。
【００２９】
一方、前記電池パックの外装カバーは、その一側または両側に移動を容易にする運搬用取っ手が形成された構造からなってもよい。前記運搬用取っ手は、外装カバーの一部位が湾入した構造、外部に突出した構造または取っ手形態の部材が装着された構造などに限定されず、多様な形態に形成されてもよい。
【００３０】
前記ベースプレートの外部装着部は、前記外部構造に装着される構造の多様な形態からなってもよく、一つの例として、前記外部装着部は、下向きに折り曲げられた突出構造で形成されてもよく、前記外部構造には、前記外部装着部の下向きに折り曲げられた突出構造が装着される溝または係止構造などが形成されてもよい。
【００３１】
一つの具体的な例において、前記電池パックは、二つ以上の電池モジュールが互いに接しながら配列されている第１のモジュールアセンブリーと、二つ以上の電池モジュールが互いに接しながら配列されている第２のモジュールアセンブリーとを含んでおり、前記第１のモジュールアセンブリーと第２のモジュールアセンブリーは、各側面支持部材が互いに同一の方向に位置するように配列されてもよい。
【００３２】
前記各モジュールアセンブリーはそれぞれ同一の個数の電池モジュールを含めてもよいが、場合によっては、それぞれ異なる個数の電池モジュールを含めてもよい。例えば、前記第１のモジュールアセンブリーの電池モジュールの数が第２のモジュールアセンブリーの電池モジュールの数より大きい構造からなってもよい。
【００３３】
また、前記第１のモジュールアセンブリー及び第２のモジュールアセンブリーは、ベースプレートの対向方向にブラケットによって各モジュールアセンブリーが互いに固定されてもよい。このようなブラケットは、具体的に、前記第１のモジュールアセンブリー及び第２のモジュールアセンブリーの各側面支持部材の一側がそれぞれ固定される板状型の部材であってもよい。
【００３４】
また、前記第１のモジュールアセンブリー及び第２のモジュールアセンブリーの各側面支持部材は、それぞれ２個のエッジがベースプレートに隣接した直角三角形状に形成されており、第１のモジュールアセンブリーのベースプレートの直角三角形の一辺と第２のモジュールアセンブリーのベースプレートの直角三角形の一辺とが互いに対面するように配列されてもよい。このとき、対面する各一辺は、互いに締結されて固定されてもよく、前記ベースプレートの対向方向に位置する各側面支持部材の各エッジが前記ブラケットによって固定されてもよい。
【００３５】
このような前記第１のモジュールアセンブリー及び第２のモジュールアセンブリーは、地面に対する垂直方向に上下に位置するように配列されてもよい。
【００３６】
また、本発明は、前記電池パックを含むデバイスを提供する。
【００３７】
前記デバイスは、具体的に、家庭用電源装置、公共施設電源装置、大型商店用電源装置、非常用電源装置、電算室電源装置、携帯用電源装置、医療設備電源装置、消化設備電源装置、警報設備電源装置、避難設備電源装置、電気自動車、ハイブリッド電気自動車、またはプラグ―インハイブリッド電気自動車であってもよい。
【００３８】
このようなデバイスの構造及び製作方法は、当業界で公知となっているので、本明細書ではそれについての詳細な説明は省略する。
【発明の効果】
【００３９】
以上説明したように、本発明に係る電池パックは、多数の電池モジュールが結合されたモジュールアセンブリーを結合部材によって各側面支持部材と結合してベースプレートに装着した構造からなっているので、電池パック内に各電池モジュールを安定的に装着することができ、組み立てが容易であり、簡単な過程で電池モジュールの追加が可能であり、故に優れた拡張性を提供する。
【００４０】
また、本発明の電池パックは、外部装着部を含むことによって、外部構造に容易に着脱可能な構造を提供する。
【図面の簡単な説明】
【００４１】
【図１】本発明の電池モジュールで単位セルを構成する一つの実施例に係る電池セルの斜視図である。
【図２】図１の各電池セルが一つの実施例に係るセルカバーに装着された構造の単位セルの斜視図である。
【図３】本発明の一つの実施例に係る電池パックの斜視図である。
【図４】図３の分解斜視図である。
【図５】図３の電池パックを地面から垂直方向に立てた構造の斜視図である。
【図６】外部装着部が形成された部位の側面模式図である。
【図７】ベースプレートにモジュールアセンブリーが装着される構造を示す斜視図である。
【図８】モジュールアセンブリーに側面支持部材が結合される構造を示す斜視図である。
【図９】図８で第１のモジュールアセンブリーの部位を示す拡大図である。
【図１０】各モジュールアセンブリーの間にブラケットが装着された構造の斜視図である。
【発明を実施するための形態】
【００４２】
以下では、本発明の実施例について図面を参照して説明するが、これは、本発明のさらに容易な理解のためのものであって、本発明の範疇がそれによって限定されることはない。
【００４３】
図１は、本発明の電池モジュールで単位セルを構成する一つの実施例に係る電池セルの斜視図で、図２は、図１の各電池セルが一つの実施例に係るセルカバーに装着された構造の単位セルの斜視図である。
【００４４】
図１を参照すると、電池セル１０は、各電極端子（陽極端子１１、陰極端子１２）が一側端部に形成されている板状型電池セル１０である。具体的に、板状型電池セル１０は、金属層（図示せず）及び樹脂層（図示せず）を含むラミネートシートのパウチ型ケース１３に電極組立体（図示せず）を内蔵し、例えば、熱融着によってシーリング部１４を形成した構造であって、通常、これを‘パウチ型電池セル’と称することもある。
【００４５】
図２を参照すると、単位セル１１２は、各電極端子１１４、１１６が一側に露出した状態で２個の板状型電池セルがセルカバー１１８に装着された構造からなっている。単位セル１１２のセルカバー１１８は、各電極端子１１４、１１６の部位を除いては、電池セルの外面を覆うように互いに結合される一対の外装部材で構成される。また、各電池セルは、セルカバー１１８の内部に積層されるように装着され、各電池セルの各電極端子１１４、１１６は、同一の極性が互いに接しながら並列に連結され、セルカバーの外側に露出している。
【００４６】
図３は、本発明の一つの実施例に係る電池パックの斜視図で、図４は、図３の分解斜視図である。
【００４７】
図３及び図４を参照すると、電池パック１００は、各モジュールアセンブリー２１０、２２０、各側面支持部材３００、各結合部材４００、ベースプレート５００、及び外装カバー６００を含む構造で構成されている。
【００４８】
モジュールアセンブリー２１０は、多数の単位セルが積層されて電気的に連結されている構造の各電池モジュール２１１、２１２、２１３が側面方向に隣接して互いに配列された構造からなっており、各側面支持部材３００は、モジュールアセンブリーの最外側の電池モジュール２１１、２１３の側面を覆う構造で結合部材４００によってモジュールアセンブリー２１０と結合されている。
【００４９】
ベースプレート５００は、各電池モジュール２１１、２１２、２１３で発生した熱を放出するように外部と連通する通風口５１０が形成されている板状型の部材であって、一面に側面支持部材３００と結合される各締結部５２０が形成されており、他面には外部構造に装着される外部装着部が形成されている。そして、外装カバー６００は、各モジュールアセンブリー２１０、２２０を覆いながらベースプレート５００と結合され、各モジュールアセンブリー２１０、２２０を外部から保護する構造で形成されており、剛性を向上できるように外部表面に凹凸構造の補強ビード６４０が形成されている。
【００５０】
一方、電池パック１００の外装カバー６００の両側には、移動が容易になるように内側に湾入した構造の運搬用取っ手５５０が形成されている。
【００５１】
図５は、図３の電池パックを地面から垂直方向に立てた構造の斜視図で、図６は、外部装着部が形成された部位の側面模式図である。
【００５２】
図５及び図６を参照すると、ベースプレート５００の上端及び下端にそれぞれ外部装着部５３０が形成されている。外部装着部５３０は、溝または係止構造などが形成されている外部構造（図示せず）に装着されるように下向きに折り曲げられた突出構造５３２を形成している。このような外部装着部５３０は、図６に示すように、別途の部材がベースプレート５００に結合されている構造で形成されており、また、ベースプレート５００の一部を折り曲げることによって外部装着部５３０を形成してもよい。外部構造は、地面から所定の角度だけ傾斜した構造であって、例えば、設備、装置などの一側、または構造物の壁などを挙げてもよく、このような外部構造に溝または係止構造を形成した後、外部装着部５３０を装着する構造からなってもよい。
【００５３】
図７は、ベースプレートにモジュールアセンブリーが装着される構造を示す斜視図で、図８は、モジュールアセンブリーに側面支持部材が結合される構造を示す斜視図で、図９は、図８の第１のモジュールアセンブリーの部位を示す拡大図である。
【００５４】
これらの図面を参照すると、３個の電池モジュール２１１、２１２、２１３が互いに接しながら配列されている第１のモジュールアセンブリー２１０と、２個の電池モジュール２２１、２２２が互いに接しながら配列されている第２のモジュールアセンブリー２２０とが上下に位置するように配列されている。
【００５５】
各電池モジュール２１１、２１２、２１３、２２１、２２２は、二つ以上の単位セルがそれぞれカートリッジに装着されて単位セル積層構造を形成し、単位セル積層構造の最外側の各電池セルに装着されて電池セル積層構造を固定する上部プレート２１６及び下部プレート２１８を含む構造からなっている。
【００５６】
各側面支持部材３１０、３２０はベースプレート５００と結合され、具体的に、各側面支持部材３１０、３２０の各一側端部３１２、３２２がベースプレート５００と接するように折り曲げられており、各側面支持部材３１０、３２０の折り曲げられた各一側端部３１２、３２２には、ベースプレート５００と結合される各締結溝３１４、３２４が穿孔されているので、各締結溝３１４、３２４とベースプレート５００の締結部５２０とが結合される構造で形成されている。このとき、各側面支持部材３１０、３２０の各締結溝３１４、３２４とベースプレート５００の各締結部５２０は、ボルトまたはリベットによって結合される。
【００５７】
側面支持部材３１０と各電池モジュール２１１、２１２、２１３の各エッジには、それぞれ結合口３１６、３１７、３１８が形成されており、各結合部材４００によって各結合口３１６、３１７、３１８が機械的に締結される構造からなっている。具体的に、側面支持部材３１０は三角形状に形成されており、三角形状の各エッジにそれぞれ各結合口３１６、３１７、３１８が形成されており、３個のエッジのうち２個のエッジがベースプレート５００に隣接した構造からなっている。すなわち、側面支持部材３１０は、三角形状の一辺がベースプレート５００に隣接した直角三角形状に形成されている。
【００５８】
また、側面支持部材３１０の板状型構造上には、剛性を向上させ、各モジュールアセンブリー２１０、２２０の熱を放出する各開口３３０が形成されており、ベースプレート５００には、剛性を向上できるように凹凸構造の補強ビード５６０が形成されている。
【００５９】
結合部材４００としては、各側面支持部材３１０の間に位置する各電池モジュール２１１、２１２、２１３を結合して固定できる長さの長ボルトが使用され、このような長ボルトが各側面支持部材３１０及び各電池モジュール２１１、２１２、２１３の各結合口３１６、３１７、３１８を貫通して固定することによって、各側面支持部材３１０と各電池モジュール２１１、２１２、２１３とが結合される構造からなっている。
【００６０】
図１０は、各モジュールアセンブリーの間にブラケットが装着された構造の斜視図である。
【００６１】
図１０を図７と共に参照すると、第１のモジュールアセンブリー２１０及び第２のモジュールアセンブリー２２０は、ベースプレート５００の対向方向にブラケット７００によって互いに固定されている。すなわち、第１のモジュールアセンブリー２１０及び第２のモジュールアセンブリー２２０に含まれる各側面支持部材３００の一側がブラケット７００によって互いに固定される構造からなっている。
【００６２】
また、第１のモジュールアセンブリー２１０及び第２のモジュールアセンブリー２２０の各側面支持部材３１０、３２０は、それぞれ２個のエッジがベースプレート５００に隣接した直角三角形状に形成されており、第１のモジュールアセンブリー２１０の各側面支持部材３１０の直角三角形の一辺と第２のモジュールアセンブリー２２０の各側面支持部材３２０の直角三角形の一辺とが互いに対面するように配列されている。このとき、ベースプレート５００の対向方向に位置する各側面支持部材３１０、３２０の各エッジがブラケット７００によって固定されている。
【００６３】
本発明の属する分野で通常の知識を有する者であれば、前記の内容に基づいて本発明の範疇内で多様な応用及び変形が可能であろう。
【符号の説明】
【００６４】
１００    電池パック
１１２    単位セル
２１１、２１２、２１３    電池モジュール
３１０、３２０    側面支持部材
４００    結合部材
５００    ベースプレート
５２０    締結部
５３０    外部装着部
６００    外装カバー
【図１】
0005968375.tif 000002
【図２】
0005968375.tif 000003
【図３】
0005968375.tif 000004
【図４】
0005968375.tif 000005
【図５】
0005968375.tif 000006
【図６】
0005968375.tif 000007
【図７】
0005968375.tif 000008
【図８】
0005968375.tif 000009
【図９】
0005968375.tif 000010
【図１０】
0005968375.tif 000011